(57)【要約】【課題】車両の運転者の身長に関係なく、運転者の顔面を確実に捉えて撮影することができる車載撮影装置、車両用メータ、及び車載撮影方法を提供すること。【解決手段】車載撮影装置１０は、車両内にそれぞれ設けられ、運転者Ｄ１，Ｄ２に向けてそれぞれの撮影領域で撮影する第１及び第２のカメラ（撮影部）２０Ａ，２０Ｂを有し、第１及び第２のカメラ２０Ａ，２０Ｂは、撮影領域Ａ１，Ａ２が互いに異なるようにそれぞれ配設される。【選択図】図１
2019074859.tif 000002
【特許請求の範囲】
【請求項１】
運転者の顔面を撮影する車載撮影装置であって、
車両内にそれぞれ設置され、前記運転者に向けてそれぞれの撮影領域で撮影する複数の撮影部を有し、
前記複数の撮影部は、前記撮影領域が互いに異なるようにそれぞれ配設される、
ことを特徴とする車載撮影装置。
【請求項２】
前記複数の撮影部のうち少なくとも一方は、当該撮影領域に前記複数の撮影部のうち少なくとも他方の前記撮影領域において死角となる領域を含むように配設される、
ことを特徴とする請求項１に記載の車載撮影装置。
【請求項３】
前記複数の撮影部の撮像画像それぞれに対し前記運転者の前記顔面が含まれているか否かを判定する画像判定部と、
前記画像判定部の判定結果に基づき、前記複数の撮影部のうち前記運転者の前記顔面を撮影可能な前記撮影部に、撮影に用いる前記撮影部を選択的に切り替える撮影切替部と、
をさらに有することを特徴とする請求項１又は２に記載の車載撮影装置。
【請求項４】
請求項１乃至３のいずれか１つに記載の車載撮影装置を備えたことを特徴とする車両用メータ。
【請求項５】
車両の運転者の運転状況を検知するため、前記運転者の顔面を撮影する車載撮影方法であって、
前記車両内にそれぞれ設置される複数の撮影部で、前記運転者に向けて互いに異なる撮影領域でそれぞれ撮影する撮影ステップと、
前記撮影ステップで撮影される撮影画像それぞれに対し、前記運転者の前記顔面が含まれているか否かを判定する画像判定ステップと、
前記画像判定ステップの判定結果に基づき、前記複数の撮影部のうち前記運転者の前記顔面を撮影可能な前記撮影部に、撮影に用いる前記撮影部を選択的に切り替える撮影切替ステップと、
を有することを特徴とする車載撮影方法。
【発明の詳細な説明】
【技術分野】
【０００１】
本発明は、車両内に設置され、少なくとも運転者の顔面を撮影するための車載撮影装置、車両用メータ、及び車載撮影方法に関する。
【背景技術】
【０００２】
近年、車両を運転中の運転者の顔面を撮影して、その運転者の眠気、疲労及び脇見運転などの運転状況を監視し、車両の安全性を確保するための車両安全技術が進展している。
【０００３】
例えば、特許文献１には、このような運転者の眠気や疲労を検知する車両安全技術を実現する装置として、運転者の顔面を含む撮影画像を撮影する撮影手段（カメラ）を有し、このカメラの撮影画像に基づき、運転者の覚醒度を推定する装置が開示されている。
【０００４】
また、特許文献２には、運転者の脇見運転を防止するため、運転者の目を撮影する撮影手段（カメラ）と、このカメラの撮影画像から運転者の視線を検知する視線検出手段と、運転者の視線の動きを計測する視線動作計測手段と、を有し、運転者の視線が予め設定された注視方向を向く頻度が基準となる頻度より少ない場合に、視認が不足していると警告する装置が開示されている。
【先行技術文献】
【特許文献】
【０００５】
【特許文献１】特開２００８−１６７８０６号公報
【特許文献２】特開２００６−２２４７００号公報
【発明の概要】
【発明が解決しようとする課題】
【０００６】
ところで、この種の車載撮影装置においては、運転者の顔面を確実に捉えて撮影することが要求される。つまり、運転者の顔面をカメラで捕捉できない場合には、上記特許文献１、２の装置では、運転者の眠気、疲労及び脇見などの運転状況を監視することができず、車両の安全に寄与することが難しくなる。
【０００７】
特に運転者の着座状態においては、運転者の顔面が標準位置にあればカメラは運転者の顔面を捕捉可能である。しかしながら、その位置が極端な場合、具体的には、運転者の身長が極端に高い、又は極端に低い場合、従来の車載撮影装置では、カメラの配置によってはカメラの撮影領域から外れて運転者の顔面を撮影できない可能性がある。
【０００８】
例えば、カメラをステアリングホイールのコラム部分に配置する場合には、運転者の身長が極端に低いと、ステアリングホイールが撮影領域の障害物となって死角となり、運転者の顔面の撮影ができなくなる。また、カメラをメータユニットの上部に配置する場合には、運転者の身長が極端に高いと、同様にステアリングホイールが撮影領域の障害物となって死角となり、運転者の顔面の撮影ができなくなる。この点に関して、特許文献１や特許文献２などの従来の装置では十分に考慮されておらず、改善の余地があった。
【０００９】
本発明は、上述した事情に鑑みてなされたものであり、その目的は、運転者の顔面を確実に捉えて撮影することができる車載撮影装置、車両用メータ、及び車載撮影方法を提供することにある。
【課題を解決するための手段】
【００１０】
前述した目的を達成するために、本発明に係る車載撮影装置、車両用メータ、及び車載撮影方法は、下記（１）〜（５）を特徴としている。
（１）運転者の顔面を撮影する車載撮影装置であって、
車両内にそれぞれ設けられ、前記運転者に向けてそれぞれの撮影領域で撮影する複数の撮影部を有し、
前記複数の撮影部は、前記撮影領域が互いに異なるようにそれぞれ配設される、
ことを特徴とする車載撮影装置。
【００１１】
（２）前記複数の撮影部のうち少なくとも一方は、当該撮影領域に前記複数の撮影部のうち少なくとも他方の前記撮影領域において死角となる領域を含むように配設される、
ことを特徴とする上記（１）に記載の車載撮影装置。
【００１２】
（３）前記複数の撮影部の撮像画像それぞれに対し前記運転者の前記顔面が含まれているか否かを判定する画像判定部と、
前記画像判定部の判定結果に基づき、前記複数の撮影部のうち前記運転者の前記顔面を撮影可能な前記撮影部に、撮影に用いる前記撮影部を選択的に切り替える撮影切替部と、
をさらに有することを特徴とする上記（１）又は（２）に記載の車載撮影装置。
【００１３】
（４）上記（１）乃至（３）のいずれか１つに記載の車載撮影装置を備えたことを特徴とする車両用メータ。
【００１４】
（５）車両の運転者の運転状況を検知するため、前記運転者の顔面を撮影する車載撮影方法であって、
前記車両内にそれぞれ設けられる複数の撮影部で、前記運転者に向けて互いに異なる撮影領域でそれぞれ撮影する撮影ステップと、
前記撮影ステップで撮影される撮影画像それぞれに対し、前記運転者の前記顔面が含まれているか否かを判定する画像判定ステップと、
前記画像判定ステップの判定結果に基づき、前記複数の撮影部のうち前記運転者の前記顔面を撮影可能な前記撮影部に、撮影に用いる前記撮影部を選択的に切り替える撮影切替ステップと、
を有することを特徴とする車載撮影方法。
【００１５】
上記（１）の構成の車載撮影装置によれば、一方の撮影部で運転者の顔面が撮影できない場合であっても、他方の撮影部で運転者の顔面を捉えることができる。即ち、本発明の車載撮影装置によれば、車両内にそれぞれ設けられ、運転者に向けてそれぞれの撮影領域で撮影する複数の撮影部を有し、複数の撮影部は、撮影領域が互いに異なるようにそれぞれ配設されるため、一方の撮影部で運転者の顔面が撮影できない場合であっても、他方の撮影部で運転者の顔面を捉えることができる。
【００１６】
上記（２）の構成の車載撮影装置によれば、一方の撮影部が運転者の顔面との間で障害物が介在して死角を有しても、その障害物を避けるように他方の撮影部が配設されるので、運転者の顔面をより確実に捉えることができる。
【００１７】
上記（３）の構成の車載撮影装置によれば、一方の撮影部で運転者の顔面が撮影できない場合であっても、撮影部の撮影画像で運転者の顔面が含まれているかを判定して他方の撮影部に切り替えるので、撮影に用いる撮影部を効率的且つ自律的に切り替えることができる。
【００１８】
上記（４）の構成の車両用メータによれば、一方の撮影部で運転者の顔面が撮影できない場合であっても、他方の撮影部で運転者の顔面を捉えることが可能な車載撮影装置を備える車両用メータを提供することができる。
【００１９】
上記（５）の構成の車載撮影方法によれば、車両内にそれぞれ設けられる複数の撮影部で、運転者に向けて互いに異なる撮影領域でそれぞれ撮影する撮影ステップと、撮影ステップで撮影される撮影画像それぞれに対し、運転者の顔面を含むか否かを判定する画像判定ステップと、画像判定ステップの判定結果に基づき、複数の撮影部のうち運転者の顔面を撮影可能な撮影部に、撮影に用いる撮影部を選択的に切り替える撮影切替ステップを含む。このため、一方の撮影部で運転者の顔面が撮影できない場合であっても、撮影部の撮影画像で運転者の顔面が含まれているかを判定して他方の撮影部に切り替えるので、撮影に用いる撮影部を効率的且つ自律的に切り替えることができる。
【発明の効果】
【００２０】
本発明の車載撮影装置、車両用メータ、及び車載撮影方法によれば、運転者の顔面を確実に捉えて撮影することができる。したがって、本発明の車載撮影装置、車両用メータ、及び車載撮影方法を、車両運転中の運転者の眠気、疲労及び脇見運転などの運転状況を監視して、例えば運転操作ミスによる車両の誤発進などを防止する走行支援装置などに適用することができる。
【００２１】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００２２】
【図１】図１は、本発明の実施形態における車載撮影装置を搭載する車両内の運転者及びその前方の主要な構成要素を左側方から視た側面図である。
【図２】図２は、図１に示す運転席前方のインストルメントパネルに配置されるメータユニットの近傍を運転者の視点方向から視た正面図である。
【図３】図３は、本発明に係る実施形態の車載撮影装置のハードウェア構成を説明するブロック図である。
【図４】図４は、図３に示す車載撮影装置で実現される機能を説明する機能ブロック図である。
【図５】図５は、図３に示す車載撮影装置が行う処理を説明するフローチャートである。
【図６】図６は、図３に示す車載撮影装置が行う処理の別の例を説明するフローチャートである。
【発明を実施するための形態】
【００２３】
本発明に関する具体的な実施形態について、各図を参照しながら以下に説明する。
【００２４】
＜車載撮影装置の概要＞
具体的な説明を行う前に、まず本発明に係る車載撮影装置の概要を説明する。
【００２５】
車載撮影装置は、車両を運転する運転者の挙動や操作などの運転状況を検知するため、運転者をカメラ（撮影部）で撮影する。そして、車載撮影装置は、その撮影画像に基づいて運転者をリアルタイムで監視して異常発生時に警報を報知したり、或いは取得した撮影画像を自動的に記録したりするのにベースとなる装置である。
【００２６】
例えば、車載撮影装置は、運転者の眠気や疲労を検知したり、又は運転者の視線に基づいて脇見運転を検知したり、運転中の誤操作により意図しない車両の誤発進などを防止するために利用される。
【００２７】
また、前述したリアルタイム監視、異常警報、及び自動記録などの機能は、種々の公知技術や既存の装置と組み合わせることで実現できる。例えば、車載撮影装置が、ドライブレコーダやデジタルタコグラフに接続されることで、車両の運転中に取得した種々の情報を自動的に記録可能である。また、運送会社やタクシー会社などの安全管理者が、ドライブレコーダなどの記録結果を運転終了後に分析することで、運転者として車両に乗務する乗務員それぞれに対し安全運転を指導できる。
【００２８】
このように、この種の車載撮影装置では、車両安全を実現するため運転者の顔面を確実に捉えて撮影することが決定的に重要となる。しかしながら、従来の車載撮影装置では、運転者の身長が極端に高い、又は極端に低い場合、カメラの位置によってはカメラの撮影領域から外れて運転者の顔面を撮影不可となる場合がある。
【００２９】
本発明に係る車載撮影装置は、運転者の顔面を確実に撮影可能とするため、以下に説明する実施形態のように特別な構成を有する。
【００３０】
＜車載撮影装置の主要な構成要素＞
図１及び図２を参照して、本実施形態の車載撮影装置１０の主要な構成要素、及びその配置について説明する。本実施形態における車載撮影装置１０を搭載する車両内の運転者Ｄ１，Ｄ２及びその前方の主要な構成要素を左側方から視た側面図を図１に示す。また、図１に示す運転席前方のインストルメントパネル７０に配置されるメータユニット（車両用メータ）７１の近傍を運転者Ｄ１，Ｄ２の視点方向から視た正面図を図２に示す。
なお、図１中の点線で示す２つの人物顔面像のうち、運転者Ｄ１は身長が極端に高い運転者を表し、運転者Ｄ２は身長が極端に低い運転者を表す。実際の乗車の際には、１人の運転者が着座することになる。
【００３１】
図１及び図２に示すように、車両内の運転席に着座した運転者Ｄ１，Ｄ２の前方には、ステアリングホイール６０、及びインストルメントパネル７０が配置されている。
【００３２】
図２に示すように、ステアリングホイール６０は、略円環状のリング部６１と、リング部６１の中央に配置され、筒状のコラム部６５に回転可能に連結されるボス部６２と、リング部６１及びボス部６２を径方向で連結する２対のスポーク部６３，６４と、を有している。この２対のスポーク部６３，６４は、車両上側で左右方向に延出して配設される１対の上側スポーク部６３と、車両下側で左右方向に延出して配設される２対の下側スポーク部６４と、により構成されている。
【００３３】
インストルメントパネル７０は、メータユニット（車両用メータ）７１を有している。メータユニット７１は、そのメータパネル７２上に、速度計７３、エンジン回転計７４、方向指示表示部（不図示）などの各種計器類や表示部を有している。
【００３４】
また、図１及び図２に示すように、メータパネル７２の上方及び側方には、略弧状のメータフード７５が車両後方に延出して設けられる。メータフード７５は、メータパネル７２の上方及び側方を覆って、太陽光などの外光がメータパネル７２に直接入射するのを防止する。このメータフード７５による太陽光の入射防止により、計器類や表示部に対する運転者Ｄ１，Ｄ２の視認性が確保されることになる。
【００３５】
ステアリングホイール６０のコラム部６５の上面部には、カメラ取付部６６が車両上方に突出して設けられる。また、インストルメントパネル７０は、メータフード７５の略中央の内側にカメラ取付部７６を有している。カメラ取付部７６は、メータフード７５から車両下方に突出して設けられている。
【００３６】
そして、後述する本実施形態の車載撮影装置１０のカメラ（撮影部）２０Ａ，２０Ｂは、車内に２つ配設される。第１のカメラ２０Ａは、コラム部６５のカメラ取付部６６に埋設され、運転者Ｄ１，Ｄ２に向けて第１の撮影領域Ａ１で撮影する。第２のカメラ２０Ｂは、メータフード７５のカメラ取付部７６に埋設され、運転者Ｄ１，Ｄ２に向けて第２の撮影領域Ａ２で撮影する。
【００３７】
ここで、図１に示すように、第２のカメラ２０Ｂは、ステアリングホイール６０のリング部６１の内側上端部、及びボス部６２の外側上端部が、身長が高い運転者Ｄ１との間で障害物となり、死角となる領域を有している。その結果、第２のカメラ２０Ｂの視角が狭まり、第２のカメラ２０Ｂの第２の撮影領域Ａ２が限定される。また、第１のカメラ２０Ａは、ステアリングホイール６０のボス部６２の外側上端部が、身長が低い運転者Ｄ２との間で障害物となり、死角となる領域を有している。その結果、第１のカメラ２０Ａの視角が狭まり、第１のカメラ２０Ａの第１の撮影領域Ａ１が限定される。
【００３８】
即ち、第２のカメラ２０Ｂは、身長が低いため運転者Ｄ２の顔面が下限位置にある場合には撮影可能であるが、身長が高いため運転者Ｄ１の顔面が想定される上限位置にある場合には撮影ができない。一方、第１のカメラ２０Ａは、身長が高いため運転者Ｄ１の顔面が想定される上限位置にある場合には撮影可能であるが、身長が低いため運転者Ｄ２の顔面が想定される下限位置にある場合には撮影ができない。
【００３９】
このため、第１及び第２のカメラ２０Ａ，２０Ｂは、第１及び第２の撮影領域Ａ１，Ａ２が一部分で重複した状態で車両上下方向にオフセットされて互いに異なるように、それぞれ配設される。具体的には、第１及び第２のカメラ２０Ａ，２０Ｂそれぞれは、自身の撮影領域Ａ１，Ａ２に他方のカメラ２０Ｂ，２０Ａの死角を含み、運転者Ｄ１，Ｄ２の顔面が想定される上下限の何れの位置にある場合でも、互いに補完的に撮影可能なように配設される。即ち、第１及び第２のカメラ２０Ａ，２０Ｂは、運転者Ｄ１，Ｄ２の顔面の位置が想定される上下限の位置にあっても対応可能となる。
【００４０】
＜車載撮影装置のハードウェア構成＞
図３を参照して、車載撮影装置１０のハードウェア構成について説明する。図３は、本実施形態の車載撮影装置１０のハードウェア構成を説明するブロック図である。
【００４１】
図３に示すように、車載撮影装置１０は、運転者Ｄ１，Ｄ２に向けて第１及び第２の撮影領域Ａ１，Ａ２でそれぞれ撮影する一対のカメラ２０Ａ，２０Ｂと、一対のカメラ２０Ａ，２０Ｂで撮影ができない場合にその警告をするためのアラーム１１と、一対のカメラ２０Ａ，２０Ｂ、アラーム１１及び装置本体を制御するための制御回路４０と、を有している。
【００４２】
一対のカメラ２０Ａ，２０Ｂは、例えば赤外光用のＣＣＤカメラで構成され、ＣＣＤ素子からなる不図示の受光部と、カメラ本体に一体的に設けられ、運転者Ｄ１，Ｄ２に向けて赤外光など所定の照射光を照射する不図示の光源と、をそれぞれ有している。カメラ２０Ａ，２０Ｂの受光部は、運転者Ｄ１，Ｄ２の表面で反射する光源の照射光を、レンズを介してそれぞれ受光する。一対のカメラ２０Ａ，２０Ｂは、この受光する光を電気信号に変換してビデオ信号として制御回路４０にそれぞれ出力する。
【００４３】
アラーム１１は、通常の赤色のＬＥＤライトで構成され、制御回路４０の指示に従って点灯する。この点灯により、警告が運転者Ｄ１，Ｄ２に報知される。なお、アラーム１１は、メータパネル７２上に配置されていてもよい。
【００４４】
制御回路４０は、汎用のコンピュータで構成され、ＣＰＵ５０と、ＲＯＭ４１と、ＲＡＭ４４と、インターフェース回路４６と、通信回路４７と、これら回路を相互に接続するバス４８と、を有している。
【００４５】
ＣＰＵ５０は、ＲＯＭ４１及びＲＡＭ４４に格納されるプログラム及びデータを適宜実行したり読み出したりして、一対のカメラ２０Ａ，２０Ｂ、アラーム１１及び装置全体を制御する。
【００４６】
ＲＯＭ４１は、プログラム格納領域４２と、データ格納領域４３と、を有している。このプログラム格納領域４２には、本実施形態の車載撮影装置１０が有する機能を実現するための各種プログラムが格納されている。また、データ格納領域４３には、撮影画像に対して画像特徴を抽出するための複数のテンプレートが格納されている。複数のテンプレートには、運転者Ｄ１，Ｄ２の顔面を抽出するための顔面抽出用テンプレートが含まれる。
【００４７】
ＲＡＭ４４は、ＣＰＵ５０がプログラムを実行する際、中間的に生成されるデータを一時的に保存する一時保存領域４５を有している。
【００４８】
インターフェース回路４６は、車内外に設けられる各種外部機器との間の物理的なインターフェース機能を有している。本実施形態では、インターフェース回路４６は、一対のカメラ２０Ａ，２０Ｂ及びアラーム１１に接続され、ＣＰＵ５０やＲＯＭ４１などの回路に対し電気信号を仲介して相互に通信することができる。
【００４９】
通信回路４７は、車内ＬＡＮとの間の通信プロトコルとしてのインターフェース機能を有し、車載撮影装置１０の撮影画像や検知結果などをＥＣＵ（Ｅｌｅｃｔｒｉｃ  Ｃｏｎｔｒｏｌ  Ｕｎｉｔ）などの上流装置に出力可能である。
【００５０】
＜車載撮影装置の機能＞
次に、車載撮影装置１０で実現される機能について説明する。図４は、車載撮影装置１０で実現される機能を説明する機能ブロック図である。
なお、図４では車載撮影装置１０の各機能は「部」として表現され、制御回路４０のＲＯＭ４１のプログラム格納領域内４２にプログラムとしてそれぞれ格納される。制御回路４０のＣＰＵ５０がこれらプログラムを適宜実行することにより、車載撮影装置１０の各機能が実現される。
【００５１】
ＣＰＵ５０は、車載撮影装置１０の機能として、画像取得部５１と、画像分析部５２と、画像判定部５３と、カメラ切替部（撮影切替部）５４と、を有している。
【００５２】
画像取得部５１は、第１及び第２のカメラ２０Ａ，２０Ｂから出力される電気信号を撮影画像として制御回路４０内に入力する。そして、画像取得部５１は、入力した撮影画像を画像分析部５２及びカメラ切替部５４に出力する。
【００５３】
画像分析部５２は、画像取得部５１から入力した第１及び第２のカメラ２０Ａ，２０Ｂの撮影画像をデジタル変換してそれぞれ分析する。具体的には、画像分析部５２は、撮影画像を減色した上で、撮影画像を特徴が一様な部分領域に分割し、所定の対象物が占有する領域を抽出する。そして、画像分析部５２は、その分析結果を画像判定部５３に出力する。
【００５４】
画像判定部５３は、ＲＯＭ４１のデータ格納領域４３に格納される顔面抽出用テンプレートを読み込み、画像分析部５２の分析結果に対し、テンプレートマッチング手法に従って画像特徴を抽出する。これにより、画像判定部５３は、第１及び第２のカメラ２０Ａ，２０Ｂの撮影画像それぞれに対し運転者Ｄ１，Ｄ２の顔面を含むか否かを判定する。そして、画像判定部５３は、その判定結果をカメラ切替部５４に出力する。
なお、画像判定部５３は、第１及び第２のカメラ２０Ａ，２０Ｂの撮影画像の何れにも運転者Ｄ１，Ｄ２の顔面が含まれていないと判定した場合、アラーム１１に動作指示を出力してアラーム１１を点灯させる。
【００５５】
また、本実施形態では、第１のカメラ２０Ａがプライマリーに設定される。即ち、例えば運転者の顔面が標準的な中間の位置にあり、第１及び第２のカメラ２０Ａ，２０Ｂの撮影画像の両方に運転者の顔面が含まれると判定した場合には、画像判定部５３は、第１のカメラ２０Ａを撮影に用いるカメラとして判定し、その判定結果をカメラ切替部５４に出力する。
【００５６】
カメラ切替部５４は、画像判定部５３の判定結果に基づき、第１及び第２のカメラ２０Ａ，２０Ｂのうち運転者Ｄ１，Ｄ２の顔面を撮影可能なカメラ２０Ａ，２０Ｂに、撮影に用いるカメラ２０Ａ，２０Ｂを選択的に切り替える。そして、カメラ切替部５４は、撮影に用いるカメラ２０Ａ，２０Ｂから出力される撮影画像を、画像取得部５１を介してＥＣＵなどの上流装置、又は上流機能に出力する。
なお、この上流機能として例えば運転者Ｄ１，Ｄ２の疲労や眠気など、又はその脇見運転を検知するための機能（プログラム）などが挙げられる。
【００５７】
このように構成されるＣＰＵ５０は、車両が発進する前において運転者Ｄ１，Ｄ２の身長に応じて、第１及び第２のカメラ２０Ａ，２０Ｂのうち運転者Ｄ１，Ｄ２の顔面を撮影可能なカメラ２０Ａ，２０Ｂに、撮影に用いるカメラ２０Ａ，２０Ｂを切り替える。その一方で、ＣＰＵ５０は、第１及び第２のカメラ２０Ａ，２０Ｂの何れも運転者Ｄ１，Ｄ２の顔面が撮影不能と判定する場合には、アラーム１１を点灯することで運転者Ｄ１，Ｄ２にその判定結果（警告）を報知する。
【００５８】
＜車載撮影装置の動作、及び車載撮影方法＞
次に、本実施形態に係る車載撮影装置１０の動作、及び車載撮影方法の手順について説明する。車載撮影装置１０が行う処理を説明するフローチャートを図５に示す。
【００５９】
図５に示すように、ステップＳ１では、制御回路４０は車両が発進する際にインターフェース回路４６を介して第１及び第２のカメラ２０Ａ，２０Ｂを選択して電気的に接続する。なお、このとき、制御回路４０はアラーム１１などの外部機器にも同様に電気的に接続する。
【００６０】
この外部機器との接続の結果、画像取得部５１は、インターフェース回路４６を介して、第１及び第２のカメラ２０Ａ，２０Ｂから出力される電気信号を撮影画像として取得する（ステップＳ２）。画像を取得すると、画像分析部５２は、ステップＳ３において、画像取得部５１から出力される第１のカメラ２０Ａの撮影画像を領域分割して、その分析結果を画像判定部５３に出力する。
【００６１】
この画像分析部５２の分析結果に基づき、画像判定部５３は、ステップＳにおいて、第１のカメラ２０Ａの撮影画像に対して画像特徴を抽出して、第１のカメラ２０Ａの撮影画像に運転者Ｄ１，Ｄ２の顔面が含まれているか否かを判定する。
【００６２】
画像判定部５３が、ステップＳ４において、第１のカメラ２０Ａの撮影画像に運転者Ｄ１，Ｄ２の顔面が含まれていると判定した場合には、ステップＳ５において、カメラ切替部５４は、撮影に用いるカメラを第１のカメラ２０Ａに選択的に切り替える。
【００６３】
一方、画像判定部５３が、第１のカメラ２０Ａの撮影画像に運転者Ｄ１，Ｄ２の顔面が含まれていないと判定した場合には（ステップＳ４でＮＯ）、ステップＳ６に進み、画像分析部５２は、画像取得部５１から出力される第２のカメラ２０Ｂの撮影画像を領域分割して、その分析結果を画像判定部５３に出力する。
【００６４】
そして、この画像分析部５２の分析結果に基づき、画像判定部５３は、ステップＳ７において、第２のカメラ２０Ｂの撮影画像に対して画像特徴を抽出し、第２のカメラ２０Ｂの撮影画像に運転者Ｄ１，Ｄ２の顔面が含まれているか否かを判定する。
【００６５】
画像判定部５３が、第２のカメラ２０Ｂの撮影画像に運転者Ｄ１，Ｄ２の顔面が含まれていると判定した場合には（ステップＳ７のＹＥＳ）、カメラ切替部５４は、ステップＳ８において、撮影に用いるカメラを第２のカメラ２０Ｂに選択的に切り替える。
【００６６】
一方、ステップＳ７において、画像判定部５３が第２のカメラ２０Ｂの撮影画像に運転者Ｄ１，Ｄ２の顔面が含まれていないと判定した場合、即ち第１及び第２のカメラ２０Ａ，２０Ｂの撮影画像の両方にも運転者Ｄ１，Ｄ２の顔面が含まれていないと判定した場合には、画像判定部５３はアラーム１１に動作指示を出力してアラーム１１を点灯させる（ステップＳ９）。
【００６７】
制御回路４０のＣＰＵ５０は、このようなステップＳ１乃至Ｓ９の一連のステップを実行することにより、運転者Ｄ１，Ｄ２が着座した状態でその身長に応じて撮影するカメラ２０Ａ，２０Ｂを切り替えて運転者Ｄ１，Ｄ２の顔面を確実に捉えることができる。
【００６８】
例えば、本実施形態では、身長が高い運転者Ｄ１が着座した場合には、制御回路４０のＣＰＵ５０は第１のカメラ２０Ａに撮影で用いるカメラ２０Ａを切り替える（図１参照）。一方、身長が低い運転者Ｄ２が着座した場合には、制御回路４０のＣＰＵ５０は第２のカメラ２０Ｂに撮影で用いるカメラ２０Ｂを切り替える。このように、本実施形態の車載撮影装置１０は、車両の運転者Ｄ１，Ｄ２の身長に関係なく、確実に運転者Ｄ１，Ｄ２の顔面を確実に捉えて撮影することが可能となる。
【００６９】
なお、上記本実施形態における「部」とは単にハードウェアによって実現される物理的構成に限定されず、その構成が有する機能をプログラムなどのソフトウェアによって実現されるものも含む。また、１つの構成が有する機能が２つ以上の物理的構成によって実現されても、または２つ以上の構成の機能が例えば１つの物理的構成によって実現されていてもよい。
【００７０】
＜車載撮影装置の動作、及び車載撮影方法の別の例＞
次に、車載撮影装置１０が行う処理の別の例を説明するフローチャートを図６に示す。なお、ステップＳ１１乃至Ｓ１８については、図５に示したステップＳ１乃至Ｓ８にそれぞれ対応しているので、説明を省略する。
【００７１】
図６に示すように、ステップＳ１７において、画像判定部５３が第２のカメラ２０Ｂの撮影画像に運転者Ｄ１，Ｄ２の顔面が含まれていないと判定した場合、即ち第１及び第２のカメラ２０Ａ，２０Ｂの撮影画像の両方にも運転者Ｄ１，Ｄ２の顔面が含まれていないと判定した場合には、画像取得部５１は、第１及び第２のカメラ２０Ａ，２０Ｂにより取得された撮影画像を合成した合成画像を生成し、画像分析部５２に出力する（ステップＳ１９）。画像分析部５２は、画像取得部５１から出力される合成画像を領域分割して、その分析結果を画像判定部５３に出力する。
【００７２】
そして、この画像分析部５２の分析結果に基づき、画像判定部５３は、ステップＳ２０において、合成画像に対して画像特徴を抽出し、この合成画像に運転者Ｄ１，Ｄ２の顔面が含まれているか否かを判定する。
【００７３】
画像判定部５３が、合成画像に運転者Ｄ１，Ｄ２の顔面が含まれていると判定した場合には（ステップＳ２０のＹＥＳ）、カメラ切替部５４は、ステップＳ２１において、撮影に用いるカメラを第１のカメラ２０Ａ及び第２のカメラ２０Ｂの両方とする。
【００７４】
一方、ステップＳ２０において、画像判定部５３が合成画像に運転者Ｄ１，Ｄ２の顔面が含まれていないと判定した場合には、画像判定部５３はアラーム１１に動作指示を出力してアラーム１１を点灯させる（ステップＳ２２）。
【００７５】
制御回路４０のＣＰＵ５０は、このようなステップＳ１１乃至Ｓ２２の一連のステップを実行することにより、運転者Ｄ１，Ｄ２が着座した状態で運転者Ｄ１，Ｄ２の顔面がカメラ２０Ａ，２０Ｂの撮影領域にまたがり、且ついずれの撮影領域にも完全に収まっていない場合においても、第１及び第２のカメラ２０Ａ，２０Ｂにより取得された撮影画像を合成した合成画像を用いることにより、運転者Ｄ１，Ｄ２の顔面を確実に捉えることができる。
【００７６】
＜本実施形態の利点＞
以上説明したように、本実施形態に係る車載撮影装置１０によれば、車両内にそれぞれ設けられ、運転者Ｄ１，Ｄ２に向けてそれぞれの撮影領域で撮影する第１及び第２のカメラ（撮影部）２０Ａ，２０Ｂを有し、第１及び第２のカメラ２０Ａ，２０Ｂは、撮影領域Ａ１，Ａ２が互いに異なるようにそれぞれ配設されるため、一方のカメラ２０Ａ，２０Ｂで運転者Ｄ１，Ｄ２の顔面が撮影できない場合であっても、他方のカメラ２０Ａ，２０Ｂで運転者Ｄ１，Ｄ２の顔面を捉えることができる。
【００７７】
また、本実施形態に係る車載撮影装置１０によれば、第１及び第２のカメラ（撮影部）２０Ａ，２０Ｂのうち一方は、自身の撮影領域Ａ１，Ａ２に第１及び第２のカメラ２０Ａ，２０Ｂの他方の撮影領域Ａ１，Ａ２において死角となる領域を含み補完的に撮影可能なように配設される。したがって、一方のカメラ２０Ａ，２０Ｂが運転者Ｄ１，Ｄ２の顔面との間で障害物が介在して死角を有しても、その障害物を避けるように他方のカメラ２０Ａ，２０Ｂが配設されるので、運転者Ｄ１，Ｄ２の顔面をより確実に捉えることができる。
【００７８】
また、本実施形態に係る車載撮影装置１０によれば、第１及び第２のカメラ２０Ａ，２０Ｂ（撮影部）の撮像画像それぞれに対し、運転者Ｄ１，Ｄ２の顔面を含むか否かを判定する画像判定部５３と、画像判定部５３の判定結果に基づき、第１及び第２のカメラ２０Ａ，２０Ｂのうち運転者Ｄ１，Ｄ２の顔面を撮影可能なカメラ２０Ａ，２０Ｂに、撮影に用いるカメラ２０Ａ，２０Ｂを選択的に切り替えるカメラ切替部（撮影切替部）５４と、をさらに有するため、一方のカメラ２０Ａ，２０Ｂで運転者Ｄ１，Ｄ２の顔面が撮影できない場合であっても、カメラ２０Ａ，２０Ｂの撮影画像で運転者Ｄ１，Ｄ２の顔面が含まれているかを判定して他方のカメラ２０Ａ，２０Ｂに切り替えるので、撮影に用いるカメラ２０Ａ，２０Ｂを効率的且つ自律的に切り替えることができる。
【００７９】
また、本実施形態に係るメータユニット（車両用メータ）７１によれば、一方のカメラ（撮影部）２０Ａ，２０Ｂで運転者Ｄ１，Ｄ２の顔面が撮影できない場合であっても、他方のカメラ２０Ａ，２０Ｂで運転者Ｄ１，Ｄ２の顔面を捉えることが可能な車載撮影装置１０を備えるメータユニット（車両用メータ）７１を提供することができる。
【００８０】
また、本実施形態に係る車載撮影方法によれば、車両内にそれぞれ設けられる第１及び第２のカメラ（撮影部）２０Ａ，２０Ｂで、運転者Ｄ１，Ｄ２に向けて互いに異なる撮影領域Ａ１，Ａ２でそれぞれ撮影する撮影ステップ（Ｓ１，Ｓ２）と、撮影ステップ（Ｓ１，Ｓ２）で撮影される撮影画像それぞれに対し、運転者Ｄ１，Ｄ２の顔面を含むか否かを判定する画像判定ステップ（Ｓ４，Ｓ７）と、画像判定ステップ（Ｓ４，Ｓ７）の判定結果に基づき、第１及び第２のカメラ２０Ａ，２０Ｂのうち運転者Ｄ１，Ｄ２の顔面を撮影可能なカメラ２０Ａ，２０Ｂに、撮影に用いるカメラ２０Ａ，２０Ｂを選択的に切り替える撮影切替ステップ（Ｓ５，Ｓ８）を含む。このため、一方のカメラ２０Ａ，２０Ｂで運転者Ｄ１，Ｄ２の顔面が撮影できない場合であっても、カメラ２０Ａ，２０Ｂの撮影画像で運転者Ｄ１，Ｄ２の顔面が含まれているかを判定して他方のカメラ２０Ａ，２０Ｂに切り替えるので、撮影に用いるカメラ２０Ａ，２０Ｂを効率的且つ自律的に切り替えることができる。
【００８１】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００８２】
例えば、本実施形態ではカメラを２台設けるが、これに限定されず、３台以上設けてもよい。また、本実施形態では光源をカメラに一体的に設けるが、光源を別体として設けてもよい。
【００８３】
ここで、上述した本発明の実施形態に係る車載撮影装置、車両用メータ、及び車載撮影方法の特徴をそれぞれ以下［１］〜［５］に簡潔に纏めて列記する。
［１］運転者（Ｄ１，Ｄ２）の顔面を撮影する車載撮影装置（１０）であって、
車両内にそれぞれ設置され、前記運転者（Ｄ１，Ｄ２）に向けてそれぞれの撮影領域で撮影する複数の撮影部（第１のカメラ、第２のカメラ２０Ａ，２０Ｂ）を有し、
前記複数の撮影部（第１のカメラ、第２のカメラ２０Ａ，２０Ｂ）は、前記撮影領域（Ａ１，Ａ２）が互いに異なるようにそれぞれ配設される、
ことを特徴とする車載撮影装置（１０）。
【００８４】
［２］前記複数の撮影部（第１のカメラ、第２のカメラ２０Ａ，２０Ｂ）のうち少なくとも一方は、当該撮影領域（Ａ１，Ａ２）に前記複数の撮影部（第１のカメラ、第２のカメラ２０Ａ，２０Ｂ）のうち少なくとも他方の前記撮影領域（Ａ１，Ａ２）において死角となる領域を含むように配設される、
ことを特徴とする上記［１］に記載の車載撮影装置（１０）。
【００８５】
［３］前記複数の撮影部（第１のカメラ、第２のカメラ２０Ａ，２０Ｂ）の撮像画像それぞれに対し、前記運転者（Ｄ１，Ｄ２）の前記顔面が含まれているか否かを判定する画像判定部（５３）と、
前記画像判定部（５３）の判定結果に基づき、前記複数の撮影部（第１のカメラ、第２のカメラ２０Ａ，２０Ｂ）のうち前記運転者（Ｄ１，Ｄ２）の前記顔面を撮影可能な前記撮影部（第１のカメラ、第２のカメラ２０Ａ，２０Ｂ）に、撮影に用いる前記撮影部（第１のカメラ、第２のカメラ２０Ａ，２０Ｂ）を選択的に切り替える撮影切替部（カメラ切替部５４）と、
をさらに有することを特徴とする上記［１］又は［２］に記載の車載撮影装置（１０）。
【００８６】
［４］上記［１］乃至［３］のいずれかに記載の車載撮影装置を備えたことを特徴とする車両用メータ（メータユニット７１）。
【００８７】
［５］車両の運転者（Ｄ１，Ｄ２）の運転状況を検知するため、前記運転者（Ｄ１，Ｄ２）の顔面を撮影する車載撮影方法であって、
前記車両内にそれぞれ設置される複数の撮影部（第１のカメラ、第２のカメラ２０Ａ，２０Ｂ）で、前記運転者（Ｄ１，Ｄ２）に向けて互いに異なる撮影領域（Ａ１，Ａ２）でそれぞれ撮影する撮影ステップ（Ｓ１，Ｓ２）と、
前記撮影ステップ（Ｓ１，Ｓ２）で撮影される撮影画像それぞれに対し、前記運転者（Ｄ１，Ｄ２）の前記顔面が含まれているか否かを判定する画像判定ステップ（Ｓ４，Ｓ７）と、
前記画像判定ステップ（Ｓ４，Ｓ７）の判定結果に基づき、前記複数の撮影部（第１のカメラ、第２のカメラ２０Ａ，２０Ｂ）のうち前記運転者（Ｄ１，Ｄ２）の前記顔面を撮影可能な前記撮影部（第１のカメラ、第２のカメラ２０Ａ，２０Ｂ）に、撮影に用いる前記撮影部（第１のカメラ、第２のカメラ２０Ａ，２０Ｂ）を選択的に切り替える撮影切替ステップ（Ｓ５，Ｓ８）と、
を有することを特徴とする車載撮影方法。
【符号の説明】
【００８８】
１０  車載撮影装置
１１  アラーム
２０Ａ  第１のカメラ（撮影部）
２０Ｂ  第２のカメラ（撮影部）
４０  制御回路
４１  ＲＯＭ
４２  プログラム格納領域
４３  データ格納領域
４４  ＲＡＭ
４５  一時保存領域
４６  インターフェース回路
４７  通信回路
４８  バス
５０  ＣＰＵ
５１  画像取得部
５２  画像分析部
５３  画像判定部
５４  カメラ切替部（撮影切替部）
６０  ステアリングホイール
６１  リング部
６２  ボス部
６３  上側スポーク部
６４  下側スポーク部
６５  コラム部
６６  カメラ取付部
７０  インストルメントパネル
７１  メータユニット（車両用メータ）
７２  メータパネル
７３  速度計
７４  エンジン回転計
７５  メータフード
７６  カメラ取付部
Ｄ１  運転者
Ｄ２  運転者
Ａ１  第１の撮影領域
Ａ２  第２の撮影領域
【図１】
2019074859.tif 000003
【図２】
2019074859.tif 000004
【図３】
2019074859.tif 000005
【図４】
2019074859.tif 000006
【図５】
2019074859.tif 000007
【図６】
2019074859.tif 000008